(57)【要約】      （修正有）【課題】踏み抜き防止が可能となると共に、靴底の変形を防ぎつつ、ヒール（靴の後部に存在する靴底の高さを固定する部分）の固定および歩行のサポートが可能となる靴の中底とシャンクの組み合わせを提供する。【解決手段】釘や鋭利なガラス等に対する踏み抜きを防止することができる「ＪＩＳＴ８１０１」相当の踏み抜き性能を有する厚さ２ｍｍから５ｍｍの範囲の強靱な化学繊維靴を靴の中底の素材とし、この中底に金属製もしくは樹脂製もしくはカーボンファイバーもしくはガラス繊維強化樹脂もしくは竹製もしくは木製のシャンク（Ｓｈａｎｋ）を固定する。【選択図】図１
0003213607.tif 000002
【実用新案登録請求の範囲】
【請求項１】
安全靴のＪＩＳ規格「ＪＩＳＴ８１０１」基準相当の釘や鋭利なガラス等に対する踏み抜き性能を有する厚さ２ｍｍから５ｍｍの範囲の強靱な化学繊維靴を素材とした靴の中底と、金属製もしくは樹脂製もしくはカーボンファイバーもしくはガラス繊維強化樹脂もしくは竹製もしくは木製のシャンク（Ｓｈａｎｋ）の組合せによる靴の部材。
【考案の詳細な説明】
【技術分野】
【０００１】安全靴や釘やガラス片等の踏み抜きによる足裏の怪我を防止する目的で金属板を靴底と中底の間に挟み込んだ安全靴や作業靴が市販されており、さらに厚さ約２ｍｍから約５ｍｍ程度の厚さの釘やガラス片等の踏み抜きによる足裏の怪我を防止するための強靱な化学繊維靴を素材とした靴の中敷き（インソール）も市販されている。しかし踏み抜き防止の金属板は靴を重くすると共に、靴の中に挿入する踏み抜き防止の中敷きは足の入れ物である靴の容積を少なくするため靴の快適性を損なう。
【考案の概要】
【考案が解決しようとする課題】
【０００２】靴の中底は、主に靴底と靴の甲革（アッパー）を挟み込み固定するための靴の部材であり、その素材は主にパルプや皮革で構成されている。その靴の中底にはシャンクが固定されており、シャンクは足の土踏まずに相当する部位の靴の補強をすると共に、靴の変形を防ぎ、足の骨格を支えつつ、歩行時の靴の蹴り返しや蹴り返しの直後の靴の形状の復元および靴の反り返りを容易にし、歩行をサポートする役割がある。またシャンクはヒール（靴後部の靴底の高さを固定する部分）の固定する役割があるが、従来の中底には釘やガラス片等の踏み抜きを防止する強度がなかった。
【課題を解決するための手段】
【０００３】釘やガラス片等の踏み抜きを防止する安全靴のＪＩＳ規格「ＪＩＳＴ８１０１」基準相当の強度を有するケブラー繊維（東レ）やアラミド繊維、スペクトラ繊維等の強靱な化学繊維靴を素材を用いた中底にシャンクを固定することで踏み抜き防止と靴底の変形を防ぎつつ、ヒールの固定および歩行のサポートを可能とする。
【図面の簡単な説明】
【０００４】
【図１】甲革は中底と靴底に挟まれており、シャンクは中底と靴底の間にあって、靴のほぼ中央から靴の後方にかけて固定されている。
【図２】一般的な靴底の形状と一般的なシャンクの形状およびシャンクの一般的な固定位置を示している。
【図１】
0003213607.tif 000003
【図２】
0003213607.tif 000004
【手続補正書】
【提出日】平成29年6月28日(2017.6.28)
【手続補正１】
【補正対象書類名】実用新案登録請求の範囲
【補正対象項目名】全文
【補正方法】変更
【補正の内容】
【実用新案登録請求の範囲】
【請求項１】
安全靴のＪＩＳ規格「ＪＩＳＴ８１０１」基準相当の釘や鋭利なガラスに対する踏み抜き強度を有する図２に示す形状の長さ１５ｃｍから３０ｃｍで横幅が５ｃｍから１５ｃｍの大きさで厚さ２ｍｍから５ｍｍの範囲のケブラー繊維（東レ）やアラミド繊維、スペクトラ繊維等の強靱な化学繊維を編み込んだ素材を用いた、図１に示す靴底と中敷き（インソール）の間に固定された中底によりクギや鋭利なガラスに対する踏み抜き防止を可能にし、これにより靴底を補強する中底と、安全靴のＪＩＳ規格「ＪＩＳＴ８１０１」基準相当の釘や鋭利なガラスに対する踏み抜き強度を有する図２に示す形状の長さ１５ｃｍから３０ｃｍで横幅が５ｃｍから１５ｃｍの大きさで厚さ２ｍｍから５ｍｍの範囲のケブラー繊維（東レ）やアラミド繊維、スペクトラ繊維等の強靱な化学繊維を編み込んだ素材を用いた、図１に示す靴底と中敷き（インソール）の間に固定された中底に、図２に示す形状の金属製もしくは樹脂製もしくはカーボンファイバー製もしくはガラス繊維強化樹脂製もしくは竹製もしくは木製のシャンク（Ｓｈａｎｋ）を図２に示す中底の上面もしくは下面に固定することにより、靴や靴底の変形を防ぎ靴のヒールの固定および歩行のサポートを可能とするシャンク（Ｓｈａｎｋ）を組合せた靴の部材。
【手続補正２】
【補正対象書類名】明細書
【補正対象項目名】全文
【補正方法】変更
【補正の内容】
【考案の詳細な説明】
【技術分野】
【０００１】釘やガラス片の踏み抜きによる足裏の怪我を防止する目的で金属板を靴底と中底の間に挟み込んだ安全靴や作業靴が市販されており、さらに厚さ約２ｍｍから約５ｍｍ程度の厚さの釘やガラス片の踏み抜きによる足裏の怪我を防止するための強靱な化学繊維を編み込んだ素材を用いた靴に後付けするための中敷き（インソール）も市販されている。しかし靴に組み込む踏み抜き防止の金属板は靴を重くすると共に、踏み抜き防止の目的で靴を使用する際に靴の中に後付けで別途挿入する中敷きは、足の入れ物である靴の容積を少なくするため靴の快適性を損なう。
【考案の概要】
【考案が解決しようとする課題】
【０００２】靴の中底は、主に靴底と靴の甲革（アッパー）を挟み込み固定するための靴の部材であり、その素材は主にパルプ系素材や皮革で構成されている。その靴の中底には多くの場合「シャンク」が固定されており、シャンクは足の土踏まずに相当する部位の靴の補強をすると共に、靴の変形を防ぎ、足の骨格を支えつつ、歩行時の靴の蹴り返しや蹴り返しの直後の靴の形状の復元および靴の反り返りを容易にし、歩行をサポートする役割がある。またシャンクはヒール（靴後部の靴底の高さを固定する部分）を固定する役割があるが、従来の中底には釘やガラス片の踏み抜きを防止する強度がなかった。
【課題を解決するための手段】
【０００３】釘やガラス片の踏み抜きを防止するための安全靴のＪＩＳ規格「ＪＩＳＴ８１０１」基準相当の強度を有するケブラー繊維（東レ）やアラミド繊維、スペクトラ繊維等の強靱な化学繊維を編み込んだ素材を用いた図１および図２に示す中底に、図２に示す形状のシャンクを固定することで、踏み抜き防止と靴底の変形を防ぎつつヒールの固定および歩行のサポートを可能とする。
【図面の簡単な説明】
【０００４】
【図１】甲革は中底と靴底に挟まれており、シャンクは中底と靴底の間にあって、靴のほぼ中央から靴の後方にかけて固定されている。
【図２】一般的な靴底の形状と一般的なシャンクの形状およびシャンクの一般的な固定位置を示している。
【手続補正３】
【補正対象書類名】図面
【補正対象項目名】全図
【補正方法】変更
【補正の内容】
【図１】
0003213607.tif 000005
【図２】
0003213607.tif 000006
【手続補正書】
【提出日】平成29年9月8日(2017.9.8)
【手続補正１】
【補正対象書類名】実用新案登録請求の範囲
【補正対象項目名】全文
【補正方法】変更
【補正の内容】
【実用新案登録請求の範囲】
【請求項１】
靴底と中敷き（インソール）の間に挟まれた概ねヒトの足の形状を成した靴の中底の素材として、安全靴のＪＩＳ規格「ＪＩＳＴ８１０１」基準相当の釘や鋭利なガラスに対する踏み抜き防止強度を有する強靭な化学繊維や防刃を目的とする強靭な化学繊維を用いた長さ１５ｃｍから３０ｃｍ、横幅５ｃｍから１５ｃｍ、厚さ２ｍｍから５ｍｍの範囲の靴の中底の上面もしくは下面に、
長さ５ｃｍから２０ｃｍ、幅０，５ｃｍから５ｃｍ、厚さ０，１ｃｍから０，５ｃｍの形状の金属製もしくは樹脂製もしくはカーボンファイバー製もしくはガラス繊維強化樹脂製もしくは竹製もしくは木製のシャンク（Ｓｈａｎｋ）を固定することにより、釘や鋭利なガラスに対する靴の踏み抜き防止を可能とすると共に、靴や靴底の変形を防ぎ、靴のヒールの固定および歩行のサポートを可能とする靴の中底とシャンクの組合せ。